(57)【要約】【課題】音色や演奏者のタッチへの影響を抑制しつつ、トーンホールの密閉度を高めることが可能な管楽器用のパッドを提供する。【解決手段】表面が管楽器のトーンホール７に突き当てられる突当面１ａとなるパッドであって、少なくとも板状の台紙１３及びこの台紙１３上に積層されて突当面１ａ側に位置する板状のフェルト１５を有した本体部１６と、この本体部１６上に積層されて突当面１ａの裏側に位置する板状の弾性体１７と、本体部１６及び弾性体１７の積層体９を被覆しパッド１の表面を構成する被覆材１１とを備え、弾性体１７が被覆材１１よりも密閉性が高く且つフェルト１５よりも弾性が高い。【選択図】図２
0003216324.tif 000002
【実用新案登録請求の範囲】
【請求項１】
表面が管楽器のトーンホールに突き当てられる突当面となるパッドであって、
少なくとも板状の台紙及び該台紙上に積層されて前記突当面側に位置する板状のフェルトを有した本体部と、
該本体部上に積層されて前記突当面の裏側に位置する板状の弾性体と、
前記本体部及び弾性体の積層体を被覆し前記表面を構成する被覆材とを備え、
前記弾性体は、前記被覆材よりも密閉性が高く且つ前記フェルトよりも弾性が高い、
ことを特徴とするパッド。
【請求項２】
請求項１記載のパッドであって、
前記本体部は、前記台紙と前記フェルトからなり、
前記弾性体は、前記フェルト上に積層されて前記フェルトと前記被覆材との間に介在する
ことを特徴とするパッド。
【請求項３】
請求項１記載のパッドであって、
前記本体部は、前記台紙と前記フェルトを被覆する内被覆材を備え、
前記弾性体は、前記内被覆材の表面上に積層されて前記内被覆材と被覆材との間に介在する、
ことを特徴とするパッド。
【請求項４】
請求項１〜３の何れか一項に記載のパッドであって、
前記弾性体は、シリコーンゴムシートである、
ことを特徴とするパッド。
【請求項５】
請求項１〜４の何れか一項に記載のパッドであって、
前記弾性体は、自己粘着性を有し、前記被覆材と前記本体部との間を粘着する、
ことを特徴とするパッド。
【請求項６】
請求項１〜５の何れか一項に記載のパッドであって、
前記弾性体は、衝撃吸収力が前記フェルトの衝撃吸収力と同等以下である、
ことを特徴とするパッド。
【請求項７】
請求項６記載のパッドであって、
前記弾性体の厚みは、前記フェルトの厚みの１/１０以下である、
ことを特徴とするパッド。
【考案の詳細な説明】
【技術分野】
【０００１】
本考案は、管楽器のトーンホールを塞ぐためのパッドに関する。
【背景技術】
【０００２】
オーボエ、クラリネット、サクソフォン等の管楽器は、マウスピースから吹き込まれた空気の流れによって生じる振動を利用して発音する楽器であり、その音階は、キーカップに保持されたパッドでトーンホールを開閉することによって生み出される。
【０００３】
パッドは、例えば特許文献１のように、円板状の台紙の上に円板状のフェルトを積層し、この積層体を被覆材により被覆したものがある。このパッドでは、被覆材を介してフェルトをトーンホールの開口縁に押し付けるようにしてトーンホールを閉じることができる。
【０００４】
しかし、フェルトによるパッドは、トーンホールの密閉度が相対的に低く、音色向上や音抜け防止に限界があった。
【０００５】
これに対し、例えば特許文献２のように、フェルトに代えてシリコーンゴムを用いたパッドがある。
【０００６】
しかし、シリコーンゴムのパッドでは、フェルトの問題点を改善することはできるが、弾性をフェルトよりも高くする関係上、音色や演奏者のタッチに影響が出るという問題がある。
【先行技術文献】
【特許文献】
【０００７】
【特許文献１】特開平７−５６５５９号
【特許文献２】特開２０１２−１５５３０２号
【考案の概要】
【考案が解決しようとする課題】
【０００８】
本考案が解決しようとする問題点は、トーンホールの密閉度を高めると、音色や演奏者のタッチに影響が出ていた点である。
【課題を解決するための手段】
【０００９】
本考案は、音色や演奏者のタッチへの影響を抑制しつつ、トーンホールの密閉度を高めるために、表面が管楽器のトーンホールに突き当てられる突当面となるパッドであって、少なくとも板状の台紙及び該台紙上に積層されて前記突当面側に位置する板状のフェルトを有した本体部と、該本体部上に積層されて前記突当面の裏側に位置する板状の弾性体と、前記本体部及び弾性体の積層体を被覆し前記表面を構成する被覆材とを備え、前記弾性体は、前記被覆材よりも密閉性が高く且つ前記フェルトよりも弾性が高いことを最も主な特徴とする。
【考案の効果】
【００１０】
本考案のパッドによれば、被覆材を介して弾性体をトーンホールに押し付けるときに、弾性体の撓み及び弾性体自身の密閉性によりトーンホールを閉じる際の密閉度を高めることができる。また、弾性体とフェルトとを併用することにより、弾性体のタッチや音色への影響を抑制することが可能となる。
【図面の簡単な説明】
【００１１】
【図１】本発明の実施例１に係るパッドをキーカップに保持した状態を示す斜視図である。
【図２】図１のパッドのＩＩ−ＩＩ線に係る断面図である。
【図３】本発明の実施例２に係るパッドの断面図である。
【考案を実施するための形態】
【００１２】
音色や演奏者のタッチへの影響を抑制しつつ、トーンホールの密閉度を高め、湿気による膨張を防止するという目的を、少なくとも台紙上にフェルトを積層した本体部に、トーンホールへの突当面の裏側に位置するように弾性体を積層したパッドによって実現した。
【００１３】
具体的には、表面が管楽器のトーンホールに突き当てられる突当面となるパッドであって、少なくとも板状の台紙及びこの台紙上に積層されて突当面側に位置する板状のフェルトを有した本体部と、この本体部上に積層されて突当面の裏側に位置する板状の弾性体と、本体部及び弾性体の積層体を被覆し表面を構成する被覆材とを備え、弾性体が被覆材よりも密閉性が高く且つフェルトよりも弾性が高い構成となっている。
【００１４】
本体部の構造は、台紙及びフェルトのみを積層したものの他、台紙及びフェルトを被覆する内被覆材を備えたものであってもよい。本体部が台紙及びフェルトのみを積層した場合は、弾性体がフェルト上に積層されて、フェルトと被覆材との間に介在する。本体部が内被覆材を備える場合は、弾性体が内被覆材の表面上に積層されて、内被覆材と被覆材との間に介在する。
【００１５】
弾性体としては、特に限定されるものではないが、シリコーンゴムシートとすることが可能である。
【００１６】
弾性体は、自己粘着性を有し、被覆材と本体部との間を粘着してもよい。
【００１７】
弾性体は、衝撃吸収力がフェルトと同等以下である構成とするのが好ましい。
【００１８】
そのために、弾性体の厚みは、フェルトの厚みの１/１０以下としてもよい。
【実施例１】
【００１９】
［パッドの構成］
図１は、本発明の実施例１に係るパッドをキーカップに保持した状態を示す斜視図、図２は、図１のパッドのＩＩ−ＩＩ線に係る断面図である。
【００２０】
パッド１は、管楽器のトーンホールを塞ぐためのものである。具体的には、パッド１は、管楽器において、キーカップ３に保持され、キーカップ３と共に回転軸５を中心に回動することによりトーンホール７を開閉することを可能とする。これにより、トーンホール７を閉じるときには、パッド１の表面がトーンホール７に突き当てられる突当面１ａとなる。なお、本実施例のパッド１が用いられる管楽器は、特に限定されるものではなく、オーボエ、クラリネット、サクソフォン等、各種の管楽器とすることが可能である。
【００２１】
本実施例のパッド１は、積層体９を被覆材１１により被覆して構成されている。
【００２２】
積層体９は、台紙１３及びフェルト１５を有する本体部１６と、弾性体１７とを備えている。
【００２３】
台紙１３は、上質紙からなる平面円形の板状体である。この台紙１３は、表面及び裏面が平坦面となっており、概ね一定の厚みを有している。台紙１３の厚みは、特に限定されるわけではないが、０．６ｍｍ〜３．０ｍｍ程度となっている。台紙１３上には、フェルト１５が積層されている。
【００２４】
フェルト１５は、繊維を板状に圧縮した不織布からなる平面円形の板状体である。本実施例において、フェルト１５は、台紙１３よりも径が大きくなっており、台紙１３上に同軸上に重ね合わされている。
【００２５】
このフェルト１５も、表面及び裏面が平坦面となっており、概ね一定の厚みを有する。フェルト１５の厚みは、本実施例において台紙１３よりも厚いが、台紙１３より薄くてもよい。このフェルト１５の厚みは、特に限定されるわけではないが、１．０ｍｍ〜３．０ｍｍ程度となっている。フェルト１５上には、弾性体１７が積層されている。
【００２６】
弾性体１７は、本体部１６上に積層されて、突当面１ａの裏側に位置する構成となっている。本実施例では、フェルト１５と後述する被覆材１１との間に介在する。
【００２７】
この弾性体１７は、後述する被覆材１１よりも密閉性が高く、且つフェルト１５よりも弾性が高いゴム等の材質からなる。ここでの密閉性は、気密性及び水密性を意味する。ただし、密閉性は、気密性のみであってもよい。弾性体１７の材質は、被覆材１１よりも密閉性が高く、且つフェルト１５よりも弾性が高い限り、天然ゴムや合成ゴム等を用いることが可能である。
【００２８】
本実施例では、硬さが５０の自己粘着性を有するシリコーンゴムを弾性体１７の材質として用いている。本実施例の弾性体１７は、自己粘着性により、被覆材１１と本体部１６、特にフェルト１５との間を粘着している。なお、弾性体１７は、自己粘着性を有していなくてもよい。また、弾性体１７の硬さは、５０よりも小さくてもよい（より柔らかくしてもよい）。
【００２９】
かかる弾性体１７は、平面円形の板状体となっている。本実施例において、弾性体１７の平面形状は、フェルト１５と同一であり、弾性体１７は、フェルト１５上からはみ出さないように重ね合わされている。なお、弾性体１７の平面形状は、フェルト１５よりもやや大きく又は小さく形成することも可能である。
【００３０】
弾性体１７の表面及び裏面は平坦面であり、これに応じ、弾性体１７の厚みは概ね一定となっている。弾性体１７の厚みは、フェルト１５よりも薄く設定される。好ましくは、弾性体１７は、厚みの設定によりフェルト１５と同等以下の衝撃吸収力を有するようにする。本実施例の弾性体１７の厚みは、フェルト１５の厚みの１／１０以下であり、０．０３ｍｍ〜０．１ｍｍ程度となっている。なお、周知のように、弾性体１７の厚みが薄くなるほど、衝撃吸収力は小さくなる。
【００３１】
ここで、フェルト１５と弾性体１７の衝撃吸収力が同等とは、弾性体１７とフェルト１５の衝撃吸収力が同一の場合だけでなく、その上下に幅のある所定範囲の概念である。これは、弾性体１７とフェルト１５の衝撃吸収力を同等以下にするのが、後述するように演奏者のタッチや音色を、弾性体を設けずにフェルトのみを設けたパッドと同様にするためだからである。
【００３２】
つまり、弾性体１７とフェルト１５の衝撃吸収力が同一の場合は勿論のこと、多少、衝撃吸収力が異なっても、演奏者からすればタッチや音色において問題ない場合が多く、そのような場合も「同等」に含まれることを意味する。ただし、タッチや音色において問題ない範囲は、演奏者のレベルで異なるため、「同等」に含まれる所定範囲は、演奏者のレベルに応じたものとする必要がある。また、「同等以下」としたのは、衝撃吸収力が小さければ弾性体１７のタッチや音色への影響が小さくなるためである。「フェルト１５の厚みの１／１０以下」も、同様の趣旨である。
【００３３】
被覆材１１は、動物の腸、膀胱、皮膚、或はゴアテックス（登録商標）のような合成樹脂等からなる薄膜である。被覆材１１は、微細な穴が開いており、密閉性に限界がある。本実施例では、この被覆材１１の密閉性を弾性体１７により補っている。
【００３４】
被覆材１１の厚みは、ごく薄く、本実施例において弾性体１７より薄い構成となっている。この被覆材１１は、積層体９を全体的に包んでいる。
【００３５】
パッド１の裏面側では、被覆材１１の縁部が台紙１３の裏面に接着され、被覆材１１のテンションが維持されている。また、パッド１の表面側では、被覆材１１が積層体９の弾性体１７に粘着しており、被覆材１１のテンションがより確実に維持される。この結果、パッド１の表面では、テンションが維持された突当面１ａが形成され、密閉度の向上に寄与することができる。この突当面１ａでは、積層体９に対する被覆材１１の浮き等が防止される。
【００３６】
［パッドの作用］
本実施例のパッド１は、トーンホール７を閉じる際、表面側の突当面１ａがトーンホール７の開口縁に押し付けられる。これにより、被覆材１１を介して弾性体１７がトーンホール７の開口縁に押し付けられることになる。
【００３７】
このとき、弾性体１７が撓むことでトーンホール７の開口縁への押し付けを確実に行い、トーンホール７を隙間なく塞ぐことによって密閉度を高めることができる。しかも、弾性体１７自体の密閉性により、被覆材１１の密閉性を補って密閉度をより高めることができる。結果として、本実施例のパッド１は、音色向上や音抜け防止を図ることができる。
【００３８】
押し付け時には、トーンホール７の反対側において弾性体１７がフェルト１５によって受けられているので、従来のようにフェルト１５に代えてシリコーンゴムを用いた場合と比較して、弾性体１７とフェルト１５との併用によりタッチや音色を向上することができる。
【００３９】
本実施例では、弾性体１７の衝撃吸収力がフェルト１５と同等以下或は弾性体１７がフェルト１５に対して１／１０以下と薄いので、弾性体１７を設けずにフェルトのみを設けた従来のパッドと同様のタッチや音色を得ることができる。
【００４０】
トーンホール７を閉じている間は、トーンホール側からの湿気を弾性体１７によって遮断することができる。
【００４１】
［実施例１の効果］
以上説明したように、本実施例のパッド１は、表面が管楽器のトーンホール７に突き当てられる突当面１ａとなるパッドであって、少なくとも板状の台紙１３及びこの台紙１３上に積層されて突当面１ａ側に位置する板状のフェルト１５を有した本体部１６と、この本体部１６上に積層されて突当面１ａの裏側に位置する板状の弾性体１７と、本体部１６及び弾性体１７の積層体９を被覆しパッド１の表面を構成する被覆材１１とを備え、弾性体１７が被覆材１１よりも密閉性が高く且つフェルト１５よりも弾性が高い。
【００４２】
従って、本実施例のパッド１は、被覆材１１を介して弾性体１７をトーンホール７に押し付けるときに、弾性体１７の撓みによりトーンホール７を隙間なく塞ぐことができ、且つ弾性体１７自体の密閉性が高いので、トーンホール７の密閉度を高めることができる。
【００４３】
しかも、本実施例のパッド１は、フェルトに代えてシリコーンゴムのみを用いた従来のパッドと比較して、弾性体１７とフェルト１５との併用によりタッチや音色を向上することができる。
【００４４】
また、本実施例のパッド１は、本体部１６が台紙１３とフェルト１５からなり、弾性体１７がフェルト１５上に積層されてフェルト１５と被覆材１１との間に介在するので、従来の台紙とフェルトを被覆材により被覆する構造に対して、容易且つ確実に弾性体１７を追加することができる。
【００４５】
本実施例では、弾性体１７がシリコーンゴムであるため、より確実にタッチや音色への影響を抑制しつつ、密閉度を高めることができる。
【００４６】
本実施例では、弾性体１７の衝撃吸収力がフェルト１５の衝撃吸収力と同等以下或は弾性体１７がフェルト１５に対して１／１０以下と薄いので、弾性体を設けずに台紙とフェルトのみを被覆材により被覆する場合と同様のタッチや音色を得ることができる。
【００４７】
さらに、弾性体１７は、自己粘着性を有し、被覆材１１と本体部１６との間を粘着するので、被覆材１１の浮きやたるみによるビビリ音を抑制できる。
【実施例２】
【００４８】
図３は、本発明の実施例２に係るパッドの断面図である。図３は、図２に対応する断面でのものであり、図２に対応する構成には、同符号を付して重複した説明を省略する。
【００４９】
本実施例のパッド１は、本体部１６が台紙１３とフェルト１５を被覆する内被覆材１９を備えている。
【００５０】
内被覆材１９は、実施例１の被覆材１１と同様に構成されており、パッド１の裏面側で台紙１３の裏面に縁部が接着されてテンションが維持されている。
【００５１】
そして、弾性材１７は、本体部１６の内被覆材１９の表面上に積層され、外被覆材である被覆材１１は、本体部１６上に弾性材１７を積層した積層体９を被覆する。
【００５２】
これにより、本実施例では、弾性体１７が本体部１６の内被覆材１９と被覆材１１との間に介在している。
【００５３】
従って、本実施例のパッド１は、実施例１と同様の作用効果を奏することができるのに加え、弾性体１７が内被覆材１９と被覆材１１との間に介在することで、より確実に被覆材１１のビビり音を抑制することができる。
【符号の説明】
【００５４】
１  パッド
１ａ  突当面
９  積層体
１１  被覆材
１３  台紙
１５  フェルト
１６  本体部
１７  弾性体
１９  内被覆材
【図１】
0003216324.tif 000003
【図２】
0003216324.tif 000004
【図３】
0003216324.tif 000005